(57)【要約】      （修正有）【課題】高さ寸法が異なる複数の側板を必要とせず、敷布団の載置時にも床面の高さを変更可能なベッドを提供する。【解決手段】本考案に係るベッド１では、マットレス又は布団が載置されるスノコ２を支持する一対の側板３，３と、側板３の一端部が連結されるヘッドボード４と、側板３の他端部が連結されるフットボード５とを備え、ヘッドボード４及びフットボード５には、側板３が低位置で連結されるネジ穴と高位置で連結されるネジ穴とが設けられ、フットボード５は、側板３が低位置で連結された場合の床面（スノコ２の上面）と略同一の高さを有するとともに、側板３が高位置で連結された場合の床面の高さまでフットボード５を延長する延長ボード６が着脱自在に取り付けられる。【選択図】図１
0003205526.tif 000002
【実用新案登録請求の範囲】
【請求項１】
マットレス又は布団が載置される床面を支持する一対の側板と、
前記一対の側板の一端が連結されるヘッドボードと、
前記一対の側板の他端が連結されるフットボードとを備え、
前記ヘッドボード及び前記フットボードには、前記一対の側板が低位置で連結される第一の連結部と、前記一対の側板が高位置で連結される第二の連結部とが設けられ、
前記フットボードは、前記一対の側板が前記低位置で連結された場合の床面と略同一の高さを有するとともに、前記一対の側板が前記高位置で連結された場合の床面の高さまで前記フットボードを延長する延長ボードが着脱自在に取り付けられることを特徴とするベッド。
【請求項２】
前記床面は、スノコにより形成されていることを特徴とする請求項１に記載のベッド。
【考案の詳細な説明】
【技術分野】
【０００１】
本考案は、床面の高さを変更可能なベッドに関する。
【背景技術】
【０００２】
従来から、床面（床板）の高さを変更可能なベッドとして、特許文献１に記載のベッド装置が知られている。このベッド装置では、ヘッドボード及びフットボードに高さ寸法が異なる側板が交換可能に連結され、厚さ寸法の大きなマットレスの使用時には側板の高さ寸法を小さくしてマットレスの載置面である床面の高さを低くし、厚さ寸法の小さなマットレスの使用時には側板の高さ寸法を大きくして床面の高さを高くすることにより、マットレスの厚さが変わってもその上面の高さを一定に保つことが可能となっている。
【先行技術文献】
【特許文献】
【０００３】
【特許文献１】特開２００６−３３４１５６号公報
【考案の概要】
【考案が解決しようとする課題】
【０００４】
ところで、特許文献１に記載のベッド装置では、床面の高さを変えるために高さ寸法が異なる複数の側板が必要となり、使用していない側板は別途保管しておかなければならないが、長尺の側板を保管するためには相応のスペースを要するという問題がある。
【０００５】
また、同文献に記載のベッド装置では、床面の高さが変わると床面からのフットボードの突出量が変わるから、床面にマットレスではなく敷布団が載置される場合に、敷布団や掛布団が床面から突出するフットボードと干渉するという問題がある。例えば高齢者等が使いやすいように同文献の図５に記載の高さ寸法が小さい側板を使用し、床面に敷布団を載置すると、敷布団や掛布団が床面から突出するフットボードに干渉するから、敷布団の載置時には同文献の図１に記載の高さ寸法が大きい側板を使用せざるを得ず、同文献に記載のベッド装置では、敷布団の載置時に、事実上、床面の高さを変えることができない。
【０００６】
本考案は、上記の事情に鑑みてなされたもので、高さ寸法が異なる複数の側板を必要とせず、敷布団の載置時にも床面の高さを変更可能なベッドを提供することを課題としている。
【課題を解決するための手段】
【０００７】
上記課題を解決するために、本考案に係るベッドは、マットレス又は布団が載置される床面を支持する一対の側板と、前記一対の側板の一端が連結されるヘッドボードと、前記一対の側板の他端が連結されるフットボードとを備え、前記ヘッドボード及び前記フットボードには、前記一対の側板が低位置で連結される第一の連結部と、前記一対の側板が高位置で連結される第二の連結部とが設けられ、前記フットボードは、前記一対の側板が前記低位置で連結された場合の床面と略同一の高さを有するとともに、前記一対の側板が前記高位置で連結された場合の床面の高さまで前記フットボードを延長する延長ボードが着脱自在に取り付けられることを特徴とする。
【０００８】
本考案に係るベッドによれば、床面を支持する一対の側板が低位置で連結される第一の連結部と高位置で連結される第二の連結部とが、ヘッドボード、フットボードのそれぞれに設けられているので、高さ寸法が異なる複数の側板を必要とせずに床面の高さを変更することができる。
【０００９】
また、フットボードが、一対の側板が低位置で連結された場合の床面と略同一の高さを有するとともに、一対の側板が高位置で連結された場合の床面の高さまでフットボードを延長する延長ボードが着脱自在に取り付けられるので、床面に敷布団を載置した際にその敷布団や掛布団が低位置、高位置のいずれにおいてもフットボードに干渉せず、敷布団の載置時にも床面の高さを変更することができる。
【００１０】
なお、床面は、スノコにより形成されていることが望ましく、これにより寝具の通気性を高め、特に敷布団の載置時における寝心地を向上させることができる。
【考案の効果】
【００１１】
本考案によれば、高さ寸法が異なる複数の側板を必要とせず、敷布団の載置時にも床面の高さを変更可能なベッドを提供することができる。
【図面の簡単な説明】
【００１２】
【図１】考案を実施するための形態に係るベッドで一対の側板が高位置にある状態を示す説明図である。
【図２】図１のベッドのヘッドボードを示す説明図である。
【図３】図１のベッドのフットボードを示す説明図である。
【図４】図１のベッドで一対の側板がヘッドボード及びフットボードの低位置用のネジ穴にネジ止めされる様子を示す説明図である。
【図５】図１のベッドで一対の側板が低位置にある状態を示す説明図である。
【図６】図１のベッドで延長ボードがフットボードに取り付けられる様子を示す説明図である。
【図７】図１のベッドで一対の側板がヘッドボード及びフットボードの高位置用のネジ穴にネジ止めされる様子を示す説明図である。
【図８】フットボード及び延長ボードの他の例を示す説明図である。
【考案を実施するための形態】
【００１３】
本考案を実施するための形態について、図面を用いて説明する。
【００１４】
図１は、本形態に係るベッドを示す。このベッド１は、図示を略すマットレス又は敷布団が載置されるスノコ２を支持する一対の側板３，３と、一対の側板３，３の一端部３ａ，３ａが連結されるヘッドボード４と、一対の側板３，３の他端部３ｂ，３ｂが連結されるフットボード５と、フットボード５の高さを延長する延長ボード６とを備える。
【００１５】
スノコ２は、側板３，３の長手方向に沿って所定間隔で配置された複数の桟２ａにより形成されている。
【００１６】
ヘッドボード４の左右には、図２に示すように、上下一対のネジ穴４ａ，４ａと、上下一対のネジ穴４ｂ，４ｂとが設けられている。同様に、フットボード５の左右には、図３に示すように、上下一対のネジ穴５ａ，５ａと、上下一対のネジ穴５ｂ，５ｂとが設けられ、この左右にある上下一対のネジ穴５ｂ，５ｂの間には、上下一対のネジ穴５ｃ，５ｃが複数設けられている。
【００１７】
図４に示すように、側板３の一端部３ａ及び他端部３ｂには、上下に並設された鉤部７ａ，７ａを有する連結金具７が固着され、一端部３ａ側の連結金具７の鉤部７ａ，７ａが係止されるネジ８，８がネジ穴４ａ，４ａに螺着され、かつ、他端部３ｂ側の連結金具７の鉤部７ａ，７ａが係止されるネジ８，８がネジ穴５ａ，５ａに螺着されることにより、ヘッドボード４及びフットボード５には側板３が低位置で連結され、図５に示すように、フットボード５の上面の高さはスノコ２の上面（床面）の高さと略同一となる。
【００１８】
図６に示すように、延長ボード６には、上下一対の挿通穴９ａ，９ａを有する取付金具９が複数固着されている。この取付金具９の挿通穴９ａ，９ａを挿通するネジ１０，１０がネジ穴５ｃ，５ｃに螺着されて延長ボード６がフットボード５に取り付けられた状態で、図７に示すように、側板３の一端部３ａ側の連結金具７の鉤部７ａ，７ａが係止されるネジ８，８がネジ穴４ｂ，４ｂに螺着され、かつ、他端部３ｂ側の連結金具７の鉤部７ａ，７ａが係止されるネジ８，８がネジ穴５ｂ，５ｂに螺着されることにより、ヘッドボード４及びフットボード５には側板３が高位置で連結され、フットボード５及び延長ボード６の高さ（延長ボード６の上面の高さ）はスノコ２の上面（床面）の高さと略同一となる（図１参照）。
【００１９】
本形態に係るベッド１では、側板３が低位置で連結されるネジ穴４ａと高位置で連結されるネジ穴４ｂとがヘッドボード４に設けられ、側板３が低位置で連結されるネジ穴５ａと高位置で連結されるネジ穴５ｂとがフットボード５に設けられているので、高さ寸法が異なる複数の側板を必要とせずに床面の高さを変更することができる。
【００２０】
また、フットボード５が、側板３が低位置で連結された場合の床面と略同一の高さを有するとともに、側板３が高位置で連結された場合の床面の高さまでフットボード５を延長する延長ボード６が着脱自在に取り付けられるので、床面に敷布団を載置した際にその敷布団や掛布団が低位置、高位置のいずれにおいてもフットボード５に干渉せず、敷布団の載置時にも床面の高さを変更することができる。
【００２１】
さらに、床面は複数の桟２ａからなるスノコ２により形成されているので、そこに載置される寝具の通気性を高め、特に敷布団の載置時における寝心地を向上させることができる。
【００２２】
以上、本考案を実施するための形態について例示したが、本考案の実施形態は上述したものに限られず、本考案の趣旨を逸脱しない範囲で適宜変更等してもよい。
【００２３】
例えば、フットボード５に設けられた上下一対のネジ穴５ｂ，５ｂは、図８にネジ穴５ｂ，６ｂとして示すように、延長ボード６との間に跨るように設けられてもよく、これにより延長ボード６が安定して固定される。
【００２４】
また、ベッド１では床面の高さが低位置と高位置の二段階で変更されるとしたが、より多段階で変更されるように構成してもかまわない。この場合には、各段階における床面の高さまでフットボードを延長することができるように、延長ボードを複数用意すれば、各段階においてフットボード側で敷布団との干渉を回避しつつベッドの外観を良好なものとすることができる。
【符号の説明】
【００２５】
１    ベッド
２    スノコ
２ａ  桟
３    側板
３ａ  一端部（側板の一端）
３ｂ  他端部（側板の他端）
４    ヘッドボード
４ａ  ネジ穴（第一の連結部）
４ｂ  ネジ穴（第二の連結部）
５    フットボード
５ａ  ネジ穴（第一の連結部）
５ｂ  ネジ穴（第二の連結部）
６    延長ボード
６ｂ  ネジ穴（第二の連結部）
【図１】
0003205526.tif 000003
【図２】
0003205526.tif 000004
【図３】
0003205526.tif 000005
【図４】
0003205526.tif 000006
【図５】
0003205526.tif 000007
【図６】
0003205526.tif 000008
【図７】
0003205526.tif 000009
【図８】
0003205526.tif 000010